(57)【要約】  【課題】種々の天袋ユニット構造に適用できる支持具を備えるとともに便利な付加機能を備えた天袋ユニットの固定構造を提供する。  【解決手段】天袋ユニット２の固定構造３０は、矩形箱型形状の天袋ユニット２を支持具３１と固定具３を用いて壁面４に取付ける構造である。  支持具３１は水平部材３１ａと垂直部材３１ｂが９０度で連結してなり、壁面４の所定位置で水平部材３１ａが水平になるように調整して、ビス等の固定具５を介して垂直部材３１ｂが壁面４に固定される。垂直部材３１ｂの先端部３１ｃにはフック状の装飾部３１ｄが一体的に形成される。フック状の装飾部３１ｄは垂直部材３１ｂと平行に隙間Ｓ１で隔てるように装飾部３１ｄの下端部３１ｅが先端部３１ｃに連結される。天袋ユニット２の底面部２３ａの背面２２側を水平部材３１ａに仮置きした状態で天袋ユニット２の背面２２をビス等の固定具３を介して壁面４に固定される。  【選択図】図３
2007054429.tif 000002
【特許請求の範囲】
【請求項１】
矩形箱型形状の天袋ユニットを支持具と固定具を用いて壁面に取付ける天袋ユニットの固定構造であって、
前記支持具は帯板状の水平部材とこの水平部材の長辺から下垂される板状の垂直部材が連結してなり、
前記壁面の所定位置で前記水平部材が水平になるように前記垂直部材を固定具を介して固定し、前記天袋ユニットの底面部の背面側を前記水平部材に仮置きした状態で前記天袋ユニットの背面が固定具を介して前記壁面に固定されるとともに、
前記垂直部材の先端部にフック状の装飾部が一体的に形成されることを特徴とする天袋ユニットの固定構造。
【発明の詳細な説明】
【技術分野】
【０００１】
本発明は、収納家具としての天袋ユニットの固定構造に関し、詳しくは、天袋ユニットの壁面への固定作業を容易に行なえる技術に関する。
【背景技術】
【０００２】
従来、壁面に天袋ユニット（吊り戸棚）を取付ける場合、作業者によって天袋ユニットを所定の取付け位置に合わせて天袋ユニットの背面をビス等によって壁面に固定していた。
【０００３】
ところが、天袋ユニットが大きくて重量がある場合には、作業者一人で天袋ユニットを支えながら固定するのは困難であり、天袋ユニットを正確な位置に確実に取付けることができなかった。また、作業者二人によって天袋ユニットを壁面に固着する方法では作業効率が悪いという問題があった。
【０００４】
この問題を解決する方法が特許文献１に開示されている。図４（ａ）、（ｂ）に示すように、特許文献１の方法は、天袋ユニット２を壁面４に取付ける前に、天袋ユニット２を壁面４に固定するための支持具１が予め壁面４に固定される。
【０００５】
支持具１は、天袋ユニット２の左側の側面２１の下端部を載置可能な支持片１１と、支持片１１の一端に支持片１１とほぼ直角に形成された固定片１２と、支持片１１の他端に形成され支持片１１に載置した天袋ユニット２の側面２１の下端部の前面を係合可能な立ち上り片１３とで構成される。固定片１２は、立ち上り片１３と相反する向きに曲折されており、この固定片１２には固定穴１４が長手方向に一定間隔に配列されている。
【０００６】
ここで、天袋ユニット２は、底面２３と側面２１と背面２２を有し、壁面４に接する左側の側面２１の下端部が底面２３より下方に延設されている。このため、天袋ユニット２の左側側面２１の下端部を支持具１の支持片１１に載置するだけで、ユニット２を所定の取付位置からズレないように位置決めできて、天袋ユニット２の背面２２がビスや釘等の固定具３によって壁面４に固定される。
【０００７】
このように、上記天袋ユニット２の左側側面２１の下端部を支持具１の支持片１１に載置させることで、吊戸棚の支持に必要な力を一部支持片１１に負担させることができるので、一人でも取付作業ができる。
【特許文献１】実公平７−５３５４７号公報
【発明の開示】
【発明が解決しようとする課題】
【０００８】
ところが、支持具１の支持片１１は立ち上り片１３を備えているので、側面２１の下端部が底面２３と同レベルの場合には不安定で使用し難いという問題があった。そこで、本発明はかかる従来技術の問題に鑑みなされたものであって、種々の天袋ユニット構造に適用できる支持具を備えるとともに便利な付加機能を備えた天袋ユニットの固定構造を提供することを目的とする。
【課題を解決するための手段】
【０００９】
請求項１の発明は、矩形箱型形状の天袋ユニットを支持具と固定具を用いて壁面に取付ける天袋ユニットの固定構造であって、前記支持具は帯板状の水平部材とこの水平部材の長辺から下垂される板状の垂直部材が連結してなり、前記壁面の所定位置で前記水平部材が水平になるように前記垂直部材を固定具を介して固定し、前記天袋ユニットの底面部の背面側を前記水平部材に仮置きした状態で前記天袋ユニットの背面が固定具を介して前記壁面に固定されるとともに、前記垂直部材の先端部にフック状の装飾部が一体的に形成されることを特徴としている。
【発明の効果】
【００１０】
請求項１記載の発明によれば、前記壁面の所定位置で前記水平部材が水平になるように前記垂直部材を固定具を介して固定した後に、前記天袋ユニットの底面部の背面側を前記水平部材に仮置きした状態で前記天袋ユニットの背面が固定具を介して前記壁面に固定することができるので、一人作業でも前記天袋ユニットを前記壁面に容易に正確に固定できる。
【００１１】
また、前記支持具の前記垂直部材の先端部にフック状の装飾部が一体的に形成されるので、支持具に小物掛けフックやピクチャーレール等の便利な付加機能を備えることができる。
【発明を実施するための最良の形態】
【００１２】
＜本発明の実施形態＞
以下に、本発明の実施形態を図１〜図３に基づいて説明する。なお、図４（ａ）、（ｂ）に示した構成と同等部分には適宜に同一符号を付して説明する。
【００１３】
＜天袋ユニットの固定構造の構成＞
図１、図２、図３に示すように、収納家具としての玄関収納ユニットは、玄関ホ−ルの壁面４の上部に天井壁３２に沿って水平状に設けられる天袋ユニット２と、床３３と天井壁３２間に設けられるトールユニット３４と、床３３上に設けられるローユニット３５とからなり、天袋ユニット２とローユニット３５間には空間３６が設けられる。各ユニットの前面には詳細図示しない開閉自在の扉をそれぞれ有している。
【００１４】
そして、天袋ユニット２の固定構造３０は、矩形箱型形状の天袋ユニット２を支持具３１と固定具３を用いて壁面４に固定される。支持具３１は長さＬで、その断面形状は幅Ｓ、厚さＴの水平部材３１ａと高さＨ、厚さＴの垂直部材３１ｂが９０度で連結してなり、壁面４の所定位置で水平部材３１ａが水平になるように調整して、ビス等の固定具５を介して垂直部材３１ｂが壁面４に固定される。
【００１５】
垂直部材３１ｂの先端部３１ｃにはフック状の装飾部３１ｄが一体的に形成される。フック状の装飾部３１ｄは支持具３１と同じ長さＬで形成され、その断面形状は高さＨ１、厚さＴであり垂直部材３１ｂと平行に隙間Ｓ１で隔てて装飾部３１ｄの下端部３１ｅが先端部３１ｃに連結される。そして、天袋ユニット２の底面部２３ａ（底面２３、或いは側面２１の下部が底面２３から突出する場合は側面２１の下部）の背面２２側を水平部材３１ａに仮置きした状態で天袋ユニット２の背面２２をビス等の固定具３を介して壁面４に固定される。このため、一人作業でも天袋ユニット２を壁面４に容易に正確に固定することができる。
【００１６】
なお、天袋ユニット２の取付け時に天袋ユニット２を安定して仮置きできるように、支持具３１は天袋ユニット２の全幅Ｌと同じ長さに形成される。また、支持具３１の取付け位置を確実にするために必要に応じて基準となる水平線が墨だし等で壁面４に描かれる。支持具３１は、アルミ押出し品、ステンレス材等の折曲げ加工品、或いは合成樹脂材による押出成形で形成される。
【００１７】
フック状の装飾部３１ｄは直接ピクチャーレールや小物掛けとして用いても良いし、別途用意されるＳ字状フック４１を装飾部３１ｄに掛けて用いることもできる。このとき、色彩や形の異なったＳ字状フック４１を用いることで、さらに付加機能を高めることができる。
【００１８】
以上、本発明の実施形態を図面に基づいて説明したが、上記の実施例はいずれも本発明の一例を示したものであり、本発明はこれらに限定されるべきでないということは言うまでもない。
【図面の簡単な説明】
【００１９】
【図１】本発明の実施形態における、支持具３１と固定具３を用いて壁面４に取付けられた天袋ユニット２の固定構造３０の状態を示す斜視図である。
【図２】本発明の実施形態における、壁面４に取付けられた支持具３１の状態を示す斜視図である。
【図３】本発明の実施形態における、図１のＡ−Ａ断面図である。
【図４】従来の、（ａ）は支持具１と固定具３を用いて壁面４に取付けられた天袋ユニット２の固定構造の状態を示す斜視図、（ｂ）は壁面４に取付けられた支持具１の状態を示す断面図である。
【符号の説明】
【００２０】
２  天袋ユニット
３  固定具
４  壁面
５  固定具
２２  背面
２３ａ  底面部
３０  固定構造
３１  支持具
３１ａ  水平部材
３１ｂ  垂直部材
３１ｃ  先端部
３１ｄ  装飾部
３１ｅ  下端部
Ｓ１  隙間
【図１】
2007054429.tif 000003
【図２】
2007054429.tif 000004
【図３】
2007054429.tif 000005
【図４】
2007054429.tif 000006